(57)【特許請求の範囲】
【請求項１】
高電圧電源回路を含む電源バス回路であって、
前記高電圧電源回路は、少なくとも２つの第１の交流／直流変換モジュールを含み、少なくとも２つの高電圧直流電源バスをさらに含み、前記第１の交流／直流変換モジュールは、第１の本線端部を有し、１つの第１の交流／直流変換モジュールが、１つの高電圧直流電源バスに電気的に接続され、前記第１の交流／直流変換モジュールは、前記第１の本線端部から本線に接続しており、前記接続されている本線を高電圧直流に調節し、前記高電圧直流を、前記第１の交流／直流変換モジュールに電気的に接続されている前記高電圧直流電源バスへ出力し、
前記高電圧電源回路は、少なくとも１つの第１の直流／直流変換モジュールをさらに含み、１つの第１の直流／直流変換モジュールが、２つの高電圧直流電源バスの間に電気的に接続され、前記第１の直流／直流変換モジュールは、前記２つの高電圧直流電源バスの間における電源の相互バックアップを実施するように、前記第１の直流／直流変換モジュールに接続されている前記２つの高電圧直流電源バスの間における高電圧直流に対して電圧変換を実行することを特徴とする電源バス回路。
【請求項２】
前記高電圧電源回路は、少なくとも１つの第１の制御モジュールをさらに含み、それぞれの第１の制御モジュールは、それに対応して１つの第１の直流／直流変換モジュールに接続され、
前記第１の制御モジュールは、第１の高電圧直流電源バスの電圧が第１の電圧しきい値よりも低いということを検知した場合には、第２の高電圧直流電源バス上の高電圧直流を変換して前記第１の高電圧直流電源バスへ転送するように前記第１の直流／直流変換モジュールを制御し、
前記第１の直流／直流変換モジュールに接続されている前記２つの高電圧直流電源バスは、前記第１の高電圧直流電源バスおよび第２の高電圧直流電源バスを含むことを特徴とする請求項１に記載の電源バス回路。
【請求項３】
前記高電圧電源回路は、少なくとも１つの高電圧バックアップ電源をさらに含み、
１つの高電圧直流電源バスが、１または複数の高電圧バックアップ電源に電気的に接続されていることを特徴とする請求項１に記載の電源バス回路。
【請求項４】
前記高電圧バックアップ電源は、１または複数の充電式電源を含み、
１つの高電圧直流電源バスが、１または複数の充電式電源に電気的に接続され、前記充電式電源は、前記充電式電源に接続されている前記高電圧直流電源バスを通じて充電されるかまたは放電することを特徴とする請求項３に記載の電源バス回路。
【請求項５】
前記高電圧バックアップ電源は、１または複数の新エネルギー電源を含み、
１つの高電圧直流電源バスが、１または複数の新エネルギー電源に電気的に接続され、前記新エネルギー電源は、前記新エネルギー電源に接続されている前記高電圧直流電源バスを通じて放電することを特徴とする請求項３に記載の電源バス回路。
【請求項６】
前記新エネルギー電源は、太陽エネルギー電源および風力エネルギー電源を含むことを特徴とする請求項５に記載の電源バス回路。
【請求項７】
前記第１の交流／直流変換モジュールは、電力グリッドフィードバックモジュールを含み、
前記第１の交流／直流変換モジュールによって含まれている前記電力グリッドフィードバックモジュールは、前記高電圧バックアップ電源が放電した場合には、前記第１の交流／直流変換モジュールに接続されている前記高電圧直流電源バスから高電圧直流を受け取り、前記受け取られた高電圧直流を交流に反転させ、前記第１の交流／直流変換モジュールの前記第１の本線端部を通じて前記交流を出力することを特徴とする請求項３乃至６のいずれか一項に記載の電源バス回路。
【請求項８】
前記高電圧電源回路によって含まれている複数の第１の直流／直流変換モジュールは、同じタイプの第１の変換モジュールであり、
前記高電圧電源回路は、少なくとも１つのバスブリッジモジュールをさらに含み、
１つのバスブリッジモジュールが、２つの高電圧直流電源バスの間に電気的に接続され、前記２つの高電圧直流電源バスは、それに対応して２つの第１の変換モジュールに接続され、
前記バスブリッジモジュールは、閉じる命令が検知されたときに、前記バスブリッジモジュールに電気的に接続されている前記２つの高電圧直流電源バスを短絡させ、開く命令が検知されたときに、前記バスブリッジモジュールに電気的に接続されている前記２つの高電圧直流電源バスの間における短絡回路を開路することを特徴とする請求項１乃至７のいずれか一項に記載の電源バス回路。
【請求項９】
前記電源バス回路は、１または複数の無停電電源ＵＰＳ電源回路をさらに含み、１または複数の第２の直流／直流変換モジュールをさらに含み、
前記ＵＰＳ電源回路は、第２の交流／直流変換モジュール、ＵＰＳ直流バス、および直流／交流変換モジュールを含み、前記ＵＰＳ直流バスは、前記第２の交流／直流変換モジュールと前記直流／交流変換モジュールとの間に電気的に接続され、１つの第２の直流／直流変換モジュールが、１つの高電圧直流電源バスと前記ＵＰＳ直流バスとの間に電気的に接続され、
前記第２の交流／直流変換モジュールは、第２の本線端部を有し、前記第２の交流／直流変換モジュールは、前記第２の本線端部を使用することによって本線に接続しており、前記接続されている本線を直流に調節し、前記直流を、前記第２の交流／直流変換モジュールに電気的に接続されている前記ＵＰＳ直流バスへ出力し、
前記第２の直流／直流変換モジュールは、前記第２の直流／直流変換モジュールに接続されている前記高電圧直流電源バスと、前記第２の直流／直流変換モジュールに接続されている前記ＵＰＳ直流バスとの間において電圧変換を実行し、
前記直流／交流変換モジュールは、前記直流／交流変換モジュールに電気的に接続されている前記ＵＰＳ直流バスから直流を受け取り、前記受け取られた直流を交流に変換して、変換を用いて得られた前記交流を使用することによって負荷に電力供給することを特徴とする請求項１乃至８のいずれか一項に記載の電源バス回路。
【請求項１０】
前記高電圧電源回路は、少なくとも１つの第２の制御モジュールをさらに含み、それぞれの第２の制御モジュールは、それに対応して１つの第２の直流／直流変換モジュールに接続され、
前記第２の制御モジュールは、前記高電圧直流電源バスの電圧が第２の電圧しきい値よりも低いということを検知した場合には、前記ＵＰＳ直流バス上の直流を変換して前記高電圧直流電源バスへ転送するように前記第２の直流／直流変換モジュールを制御し、
前記第２の制御モジュールは、前記ＵＰＳ直流バスの電圧が第３の電圧しきい値よりも低いということを検知した場合には、前記高電圧直流電源バス上の高電圧直流を変換して前記ＵＰＳ直流バスへ転送するように前記第２の直流／直流変換モジュールを制御することを特徴とする請求項９に記載の電源バス回路。
【請求項１１】
前記ＵＰＳ電源回路は、少なくとも１つのＵＰＳバックアップ電源をさらに含み、
１つのＵＰＳ直流バスが、１または複数のＵＰＳバックアップ電源に電気的に接続され、前記ＵＰＳバックアップ電源は、前記ＵＰＳバックアップ電源に接続されている直流バスを通じて充電されるかまたは放電することを特徴とする請求項９に記載の電源バス回路。
【請求項１２】
前記電源バス回路は、１または複数の交流電源回路をさらに含み、１または複数の第３の交流／直流変換モジュールをさらに含み、
前記交流電源回路は、交流／交流変換モジュールおよび交流バスを含み、前記交流／交流変換モジュールは、前記交流バスに電気的に接続され、１つの第３の交流／直流変換モジュールが、１つの高電圧直流電源バスと、１つの交流バスとの間に電気的に接続され、
前記交流／交流変換モジュールは、第３の本線端部を有し、前記交流／交流変換モジュールは、前記第３の本線端部を使用することによって本線に接続しており、前記接続されている本線を指定のタイプの交流に調節し、前記指定のタイプの前記交流を、前記交流／交流変換モジュールに電気的に接続されている前記交流バスへ出力し、
前記第３の交流／直流変換モジュールは、前記第３の交流／直流変換モジュールに接続されている前記高電圧直流電源バスによって搬送される高電圧直流を指定のタイプの交流に変換し、変換を用いて得られた前記交流を、前記第３の交流／直流変換モジュールに接続されている前記交流バスへ出力するか、または前記第３の交流／直流変換モジュールに接続されている前記交流バスによって搬送される交流を高電圧直流に変換し、変換を用いて得られた前記高電圧直流を、前記第３の交流／直流変換モジュールに接続されている前記高電圧直流電源バスへ出力することを特徴とする請求項１乃至１１のいずれか一項に記載の電源バス回路。
【請求項１３】
前記電源バス回路は、調節／制御モジュールをさらに含み、前記調節／制御モジュールは、前記第１の交流／直流変換モジュールに接続され、
前記調節／制御モジュールは、電圧調節命令を前記第１の交流／直流変換モジュールへ出力し、
前記第１の交流／直流変換モジュールは、接続されている本線を高電圧直流に調節する過程において、前記高電圧直流を、前記電圧調節命令によって指定されたプリセット電圧へ調節し、前記プリセット電圧を有する高電圧直流を、前記第１の交流／直流変換モジュールに電気的に接続されている前記高電圧直流電源バスへ出力することを特徴とする請求項１乃至１２のいずれか一項に記載の電源バス回路。
【発明の詳細な説明】
【技術分野】
【０００１】
本発明は、高電圧電源の分野に関し、詳細には、電源バス回路に関する。
【背景技術】
【０００２】
情報技術（ＩＴ）、通信技術（ＣＴ）、ならびに情報および通信技術（ＩＣＴ）の絶え間ないイノベーションおよび急速な発展に伴って、より高い要件がデータロードデバイスに課され、たとえば、データロードデバイスが電力からの接続を絶たれないことが必要とされている。
【０００３】
詳細には、サーバと、データロードデバイスとしての役割を果たしているストレージデバイスとが、間断なく安定して連続的に電力供給されることが必要とされている。従来技術においては、当業界におけるデータロードデバイスへの電源は、２つの側面において特徴付けられ、すなわち、１）複数の予備電源が設計され、すべての予備電源が単一のバス上に取り付けられて、その単一のバスが間断なくデータロードデバイスに電力を供給することを確実にするが、さらなる予備電源はそれ相応に出費を増大させ、２）電源モードが多様化されて異なるものになり、それは、オペレーションおよびメンテナンスにおける難しさをもたらす。従来技術においては、異なるデータロードデバイスによって必要とされる電源電圧、電流、または電力は大きく異なり、したがって、別の適合する電源回路を構築することが必要とされる。
【０００４】
２つのタイプの比較的成熟した電源技術が、従来技術において利用可能である。１つ目は、無停電電源（Ｕｎｉｎｔｅｒｒｕｐｔｉｂｌｅ  Ｐｏｗｅｒ  Ｓｙｓｔｅｍ／Ｕｎｉｎｔｅｒｒｕｐｔｉｂｌｅ  Ｐｏｗｅｒ  Ｓｕｐｐｌｙ、ＵＰＳ）電源技術であり、２つ目は、高電圧直流（ＨＶＤＣ）電源技術である。
【０００５】
従来技術においては、さまざまなデータロードデバイスが、さまざまな個別の要件を有している。たとえば、チャイナテレコムのデータロードデバイスによって必要とされる電源電圧は、２４０Ｖの直流であり、チャイナモバイルのデータロードデバイスによって必要とされる電源電圧は、３３６Ｖの直流であり、中国以外の国々（たとえば、韓国、スイス、日本、および米国）におけるデータロードデバイスによって必要とされる電源電圧は、２１６Ｖから４００Ｖにわたる直流である。異なるデータロードデバイスによって必要とされる電源電圧における差異が、ＨＶＤＣ電源バスの異なる電圧モードをもたらす。運営業者、企業、および研究機関は、自分たちの実際の適用シナリオおよび技術的な発展段階の要件に基づいて自分たち自身の発展プランを満たすＨＶＤＣの技術的なアーキテクチャおよびソリューションを提案しているにすぎず、したがって、データロードデバイスにおける差異、地域的な差異、および技術的な発展段階における差異のために、異なるＨＶＤＣ電源バスによって搬送される電圧は、基本的に異なり、それらを統一することは困難である。異なるデータロードデバイスの個別の電源要件に従って、適合する高電圧直流電源回路を構築して、それらの高電圧直流電源回路の高電圧直流電源バスを通じて、適合する電源電圧をデータロードデバイスに供給することが必要である。
【０００６】
図１は、従来技術において一般的に使用される高電圧直流電源回路を示してあり、それは、交流／直流変換モジュール、蓄電池、および高電圧直流電源バスを含む。交流／直流変換モジュールは、本線に接続し、接続されている本線を高電圧直流に調節し、その高電圧直流を高電圧直流電源バスへ出力して、高電圧直流電源バスを通じてデータロードデバイスに電力供給し、同時に蓄電池を充電する。データロードデバイスが異常に電力をオフにされた場合、すなわち、交流／直流変換モジュールが適切に動作しなかった場合には、充電されてある蓄電池が、高電圧直流電源バスを通じてデータロードデバイスに続けて電力供給して、無停電電源を確実にする。しかしながら、交流／直流変換モジュールおよび蓄電池が両方とも障害状態になった場合には、従来技術において一般的に使用されるこの高電圧直流電源回路は、適用不可能であり、データロードデバイスは、電力からの接続を絶たれることになる。
【発明の概要】
【０００７】
本発明の目的は、異なる高電圧電源バスの間における電源の相互バックアップを実施することによって、間断なく高電圧電源バス上の負荷に電力供給するための電源バス回路を提供することである。
【０００８】
第１の態様によれば、本発明は、高電圧電源回路を含む電源バス回路を提供し、
高電圧電源回路は、少なくとも２つの第１の交流／直流変換モジュールを含み、少なくとも２つの高電圧直流電源バスをさらに含み、第１の交流／直流変換モジュールは、第１の本線端部を有し、１つの第１の交流／直流変換モジュールが、１つの高電圧直流電源バスに電気的に接続され、第１の交流／直流変換モジュールは、第１の本線端部を使用することによって本線に接続し、接続されている本線を高電圧直流に調節し、高電圧直流を、第１の交流／直流変換モジュールに電気的に接続されている高電圧直流電源バスへ出力し、
高電圧電源回路は、少なくとも１つの第１の直流／直流変換モジュールをさらに含み、１つの第１の直流／直流変換モジュールが、２つの高電圧直流電源バスの間に電気的に接続され、第１の直流／直流変換モジュールは、２つの高電圧直流電源バスの間における電源の相互バックアップを実施するように、第１の直流／直流変換モジュールに接続されている２つの高電圧直流電源バスの間における高電圧直流に対して電圧変換を実行する。
【０００９】
第１の態様に関連して、第１の態様の第１の可能な実装態様においては、高電圧電源回路は、少なくとも１つの第１の制御モジュールをさらに含み、それぞれの第１の制御モジュールは、それに対応して１つの第１の直流／直流変換モジュールに接続され、
第１の制御モジュールは、第１の高電圧直流電源バスの電圧が第１の電圧しきい値よりも低いということを検知した場合には、第２の高電圧直流電源バス上の高電圧直流を変換して第１の高電圧直流電源バスへ転送するように第１の直流／直流変換モジュールを制御し、
第１の直流／直流変換モジュールに接続されている２つの高電圧直流電源バスは、第１の高電圧直流電源バスおよび第２の高電圧直流電源バスを含む。
【００１０】
第１の態様、または第１の態様の第１の可能な実装態様に関連して、第１の態様の第２の可能な実装態様においては、高電圧電源回路は、少なくとも１つの高電圧バックアップ電源をさらに含み、
１つの高電圧直流電源バスが、１または複数の高電圧バックアップ電源に電気的に接続されている。
【００１１】
第１の態様の第２の可能な実装態様に関連して、第１の態様の第３の可能な実装態様においては、高電圧バックアップ電源は、１または複数の充電式電源を含み、
１つの高電圧直流電源バスが、１または複数の充電式電源に電気的に接続され、充電式電源は、それらの充電式電源に接続されている高電圧直流電源バスを通じて充電されるかまたは放電する。
【００１２】
第１の態様の第２の可能な実装態様、または第１の態様の第３の可能な実装態様に関連して、第１の態様の第４の可能な実装態様においては、高電圧バックアップ電源は、１または複数の新エネルギー電源を含み、
１つの高電圧直流電源バスが、１または複数の新エネルギー電源に電気的に接続され、新エネルギー電源は、それらの新エネルギー電源に接続されている高電圧直流電源バスを通じて放電する。
【００１３】
第１の態様、第１の態様の第５の実装態様、第１の態様の第２の可能な実装態様、または第１の態様の第３の可能な実装態様に関連して、第１の態様の第４の可能な実装態様においては、新エネルギー電源は、太陽エネルギー電源および風力エネルギー電源を含む。
【００１４】
第１の態様の第２の可能な実装態様、第１の態様の第３の可能な実装態様、または第１の態様の第４の可能な実装態様に関連して、第１の態様の第５の可能な実装態様においては、第１の交流／直流変換モジュールは、電力グリッドフィードバックモジュールを含み、
第１の交流／直流変換モジュールによって含まれている電力グリッドフィードバックモジュールは、高電圧バックアップ電源が放電した場合には、第１の交流／直流変換モジュールに接続されている高電圧直流電源バスから高電圧直流を受け取り、受け取られた高電圧直流を交流に反転させ、第１の交流／直流変換モジュールの第１の本線端部を通じて交流を出力する。
【００１５】
第１の態様、第１の態様の第１の実装態様、第１の態様の第２の可能な実装態様、第１の態様の第３の可能な実装態様、第１の態様の第４の可能な実装態様、または第１の態様の第５の可能な実装態様に関連して、第１の態様の第６の可能な実装態様においては、高電圧電源回路によって含まれている複数の第１の直流／直流変換モジュールは、同じタイプの第１の変換モジュールであり、
高電圧電源回路は、少なくとも１つのバスブリッジモジュールをさらに含み、
１つのバスブリッジモジュールが、２つの高電圧直流電源バスの間に電気的に接続され、それらの２つの高電圧直流電源バスは、それに対応して２つの第１の変換モジュールに接続され、
バスブリッジモジュールは、閉じる命令が検知されたときに、バスブリッジモジュールに電気的に接続されている２つの高電圧直流電源バスを短絡させ、開く命令が検知されたときに、バスブリッジモジュールに電気的に接続されている２つの高電圧直流電源バスの間における短絡回路を開路する。
【００１６】
第１の態様、第１の態様の第１の実装態様、第１の態様の第２の可能な実装態様、第１の態様の第３の可能な実装態様、第１の態様の第４の可能な実装態様、第１の態様の第５の可能な実装態様、または第１の態様の第６の可能な実装態様に関連して、第１の態様の第７の可能な実装態様においては、電源バス回路は、１または複数の無停電電源ＵＰＳ電源回路をさらに含み、１または複数の第２の直流／直流変換モジュールをさらに含み、
ＵＰＳ電源回路は、第２の交流／直流変換モジュール、ＵＰＳ直流バス、および直流／交流変換モジュールを含み、ＵＰＳ直流バスは、第２の交流／直流変換モジュールと直流／交流変換モジュールとの間に電気的に接続され、１つの第２の直流／直流変換モジュールが、１つの高電圧直流電源バスとＵＰＳ直流バスとの間に電気的に接続され、
第２の交流／直流変換モジュールは、第２の本線端部を有し、第２の交流／直流変換モジュールは、第２の本線端部を使用することによって本線に接続しており、接続されている本線を直流に調節し、直流を、第２の交流／直流変換モジュールに電気的に接続されているＵＰＳ直流バスへ出力し、
第２の直流／直流変換モジュールは、第２の直流／直流変換モジュールに接続されている高電圧直流電源バスと、第２の直流／直流変換モジュールに接続されているＵＰＳ直流バスとの間において電圧変換を実行し、
直流／交流変換モジュールは、その直流／交流変換モジュールに電気的に接続されているＵＰＳ直流バスから直流を受け取り、受け取られた直流を交流に変換して、変換を用いて得られた交流を使用することによって負荷に電力供給する。
【００１７】
第１の態様の第７の可能な実装態様に関連して、第１の態様の第８の可能な実装態様においては、高電圧電源回路は、少なくとも１つの第２の制御モジュールをさらに含み、それぞれの第２の制御モジュールは、それに対応して１つの第２の直流／直流変換モジュールに接続され、
第２の制御モジュールは、高電圧直流電源バスの電圧が第２の電圧しきい値よりも低いということを検知した場合には、ＵＰＳ直流バス上の直流を変換して高電圧直流電源バスへ転送するように第２の直流／直流変換モジュールを制御し、
第２の制御モジュールは、ＵＰＳ直流バスの電圧が第３の電圧しきい値よりも低いということを検知した場合には、高電圧直流電源バス上の高電圧直流を変換してＵＰＳ直流バスへ転送するように第２の直流／直流変換モジュールを制御する。
【００１８】
第１の態様、第１の態様の第１の実装態様、第１の態様の第２の可能な実装態様、第１の態様の第３の可能な実装態様、第１の態様の第４の可能な実装態様、第１の態様の第５の可能な実装態様、第１の態様の第６の可能な実装態様、第１の態様の第７の可能な実装態様、または第１の態様の第８の可能な実装態様に関連して、第１の態様の第９の可能な実装態様においては、ＵＰＳ電源回路は、少なくとも１つのＵＰＳバックアップ電源をさらに含み、
１つのＵＰＳ直流バスが、１または複数のＵＰＳバックアップ電源に電気的に接続され、ＵＰＳバックアップ電源は、それらのＵＰＳバックアップ電源に接続されている直流バスを通じて充電されるかまたは放電する。
【００１９】
第１の態様、第１の態様の第１の実装態様、第１の態様の第２の可能な実装態様、第１の態様の第３の可能な実装態様、第１の態様の第４の可能な実装態様、第１の態様の第５の可能な実装態様、第１の態様の第６の可能な実装態様、第１の態様の第７の可能な実装態様、第１の態様の第８の可能な実装態様、または第１の態様の第９の可能な実装態様に関連して、第１の態様の第１０の可能な実装態様においては、電源バス回路は、１または複数の交流電源回路をさらに含み、１または複数の第３の交流／直流変換モジュールをさらに含み、
交流電源回路は、交流／交流変換モジュールおよび交流バスを含み、交流／交流変換モジュールは、交流バスに電気的に接続され、１つの第３の交流／直流変換モジュールが、１つの高電圧直流電源バスと、１つの交流バスとの間に電気的に接続され、
交流／交流変換モジュールは、第３の本線端部を有し、交流／交流変換モジュールは、第３の本線端部を使用することによって本線に接続しており、接続されている本線を指定のタイプの交流に調節し、指定のタイプの交流を、交流／交流変換モジュールに電気的に接続されている交流バスへ出力し、
第３の交流／直流変換モジュールは、第３の交流／直流変換モジュールに接続されている高電圧直流電源バスによって搬送される高電圧直流を指定のタイプの交流に変換し、変換を用いて得られた交流を、第３の交流／直流変換モジュールに接続されている交流バスへ出力するか、または第３の交流／直流変換モジュールに接続されている交流バスによって搬送される交流を高電圧直流に変換し、変換を用いて得られた高電圧直流を、第３の交流／直流変換モジュールに接続されている高電圧直流電源バスへ出力する。
【００２０】
第１の態様、第１の態様の第１の実装態様、第１の態様の第２の可能な実装態様、第１の態様の第３の可能な実装態様、第１の態様の第４の可能な実装態様、第１の態様の第５の可能な実装態様、第１の態様の第６の可能な実装態様、第１の態様の第７の可能な実装態様、第１の態様の第８の可能な実装態様、第１の態様の第９の可能な実装態様、または第１の態様の第１０の可能な実装態様に関連して、第１の態様の第１１の可能な実装態様においては、電源バス回路は、調節／制御モジュールをさらに含み、調節／制御モジュールは、第１の交流／直流変換モジュールに接続され、
調節／制御モジュールは、電圧調節命令を第１の交流／直流変換モジュールへ出力し、
第１の交流／直流変換モジュールは、接続されている本線を高電圧直流に調節する過程において、高電圧直流を、電圧調節命令によって指定されたプリセット電圧へ調節し、そのプリセット電圧を有する高電圧直流を、第１の交流／直流変換モジュールに電気的に接続されている高電圧直流電源バスへ出力する。
【００２１】
本発明の有利な効果は、次のとおりである。すなわち、第１の直流／直流変換モジュールが、電源の相互バックアップを必要とする高電圧電源バスのそれぞれのペアの間に別々に加えられ、高電圧電源バスのペアの一方の高電圧電源バスがオフになる場合（高電圧電源バスに電気的に接続されている第１の交流／直流変換モジュールが本線に接続しておらず、それによって、高電圧電源バスがオフになる場合）には、第１の直流／直流変換モジュールが使用されて、高電圧電源バスのペアの他方の高電圧電源バスによって搬送される高電圧直流に対して電圧変換を実行することができ、第１の直流／直流変換モジュールは、変換された高電圧直流を、オフになる高電圧電源バスへ出力して、高電圧電源バスがその上の負荷に間断なく電力供給するということを確実にする。
【図面の簡単な説明】
【００２２】
本発明の実施形態における技術的解決策をより明確に説明するために、以下では、それらの実施形態または従来技術を説明するのに必要とされる添付の図面を簡単に紹介する。明らかに、以下の説明における添付の図面は、本発明のいくつかの実施形態を示しているにすぎず、当技術分野における標準的な技術者ならば、それでもなお、創造的な取り組みを伴わずにこれらの添付の図面から他の図面を導き出し得る。
【図１】背景技術において説明されている従来技術における高電圧直流電源回路の回路図である。
【図２】本発明の実施形態による電源バス回路の組成の構成図である。
【図３】図２における電源バス回路に基づく組成の改良された構成図である。
【図４】本発明の実施形態による電源バス回路の組成の別の改良された構成図である。
【図５】本発明の実施形態による電源バス回路の組成の別の改良された構成図である。
【図６】図５において提供された電源バス回路に基づく組成の改良された構成図である。
【図７】本発明の実施形態による電源バス回路の組成の別の改良された構成図である。
【図８】図７において提供された電源バス回路に基づく組成の別の改良された構成図である。
【図９】図７において提供された電源バス回路に基づく組成の改良された構成図である。
【図１０】本発明の実施形態による電源バス回路の組成の別の改良された構成図である。
【発明を実施するための形態】
【００２３】
本発明の目的、技術的解決策、および利点をより明確にかつよりわかりやすくするために、以下では、添付の図面および実施形態を参照しながら詳細に本発明についてさらに説明する。本明細書において説明されている特定の実施形態は、本発明を説明するために使用されているにすぎず、本発明を限定することを意図されているものではないということを理解されたい。下記の特定の実施形態を参照しながら、本発明による技術的解決策が説明される。
【００２４】
図２は、本発明の実施形態による電源バス回路の組成構成を示している。説明の容易のために、本発明のこの実施形態に関連した部分のみが示されている。
【００２５】
図２を参照すると、本発明のこの実施形態によって提供される電源バス回路は、高電圧電源回路を含む。この高電圧電源回路は、少なくとも２つの第１の交流／直流変換モジュール１１を含み、さらに少なくとも２つの高電圧直流電源バスを含み、第１の交流／直流変換モジュール１１は、第１の本線端部ＩＮ１を有し、１つの第１の交流／直流変換モジュール１１が、１つの高電圧直流電源バスに電気的に接続され、第１の交流／直流変換モジュール１１は、第１の本線端部ＩＮ１を使用することによって本線に接続しており、接続されている本線を高電圧直流に調節し、その高電圧直流を、第１の交流／直流変換モジュールに電気的に接続されている高電圧直流電源バスへ出力する。
【００２６】
本発明のこの実施形態においては、高電圧電源回路は、Ｍ個の第１の交流／直流変換モジュール１１を含み、Ｍは、２以上である。それに対応して、高電圧電源回路は、Ｍ個の高電圧直流電源バスをさらに含む。それぞれの第１の交流／直流変換モジュール１１は、それに対応して１つの高電圧直流電源バスに接続されている。第１の交流／直流変換モジュール１１に関して、第１の交流／直流変換モジュール１１が、その第１の本線端部ＩＮ１を使用することによって本線に接続している場合には、第１の交流／直流変換モジュール１１は、接続されている本線を高電圧直流に調節し、高電圧直流電源バスを通じて高電圧直流を出力する。１または複数の負荷が高電圧直流電源バス上に取り付けられている場合には、それらの１または複数の負荷は、高電圧直流電源バス上の高電圧直流によって駆動され得る。特定の実装態様として、１または複数の負荷が、高電圧直流電源バス上に取り付けられ、それぞれの負荷は、同じ電圧を必要とし、したがって、高電圧直流電源バスに電気的に接続されている第１の交流／直流変換モジュール１１に関して電圧が設定されることがあり、電圧は、それぞれの負荷によって一般的に必要とされる電圧に設定されることがある。電圧を設定する態様は、本明細書においては限定されておらず、電圧は、手動（たとえば、第１の交流／直流変換モジュール１１によって提供されたキーを使用することによって値が手動で入力される）で、または別のスマートな態様（たとえば、電子回路がトリガされて、設定される必要がある電圧値を生成するか、または別の例に関しては、それがソフトウェア制御態様でトリガされて、設定される必要がある電圧値を生成する）で設定されることがあり、同様に、異なる高電圧直流電源バスについては、それらの高電圧直流電源バス上に取り付けられている負荷によって必要とされる電圧に関して第１の交流／直流変換モジュール１１について電圧が設定されることがあるということに留意されたい。この方法においては、異なる第１の交流／直流変換モジュール１１が、異なる電圧を伴って高電圧直流を出力し、それらの第１の交流／直流変換モジュール１１に電気的に接続されている高電圧直流電源バスを使用することによって、それらの高電圧直流電源バス上の負荷に電力供給することがある。
【００２７】
本発明のこの実施形態においては、負荷は、オートメーションデバイス、データロードデバイス、またはネットワークデバイスなど、電力を消費する必要があるデバイスを含むということに留意されたい。
【００２８】
高電圧電源回路は、少なくとも１つの第１の直流／直流変換モジュール１２をさらに含み、１つの第１の直流／直流変換モジュール１２が、２つの高電圧直流電源バスの間に電気的に接続され、第１の直流／直流変換モジュール１２は、第１の直流／直流変換モジュールに接続されている２つの高電圧直流電源バスの間における高電圧直流に対して電圧変換を実行して、２つの高電圧直流電源バスの間における電源の相互バックアップを実施するということが強調されるべきである。
【００２９】
本発明のこの実施形態においては、電源の相互バックアップが、２つの高電圧直流電源バスに関して実施される必要がある場合には、１つの第１の直流／直流変換モジュール１２が、２つの高電圧直流電源バスの間に電気的に接続され、同様に、電源の相互バックアップが、３つの高電圧直流電源バスに関して実施される必要がある場合には、１つの第１の直流／直流変換モジュール１２が、すべての２つの高電圧直流電源バスの間に電気的に接続される必要がある。したがって、相互バックアップが、３つの高電圧直流電源バスのうちのすべての２つの間において実施される必要がある場合には、３つの第１の直流／直流変換モジュール１２が必要とされ、１つの第１の直流／直流変換モジュール１２が、２つの高電圧直流電源バスの間に電気的に接続される。同様に、電源の相互バックアップを必要とする高電圧直流電源バスがあらかじめ決定されることがあり、電源の相互バックアップを必要とする２つの高電圧直流電源バスが、高電圧直流電源バスの１つのペアとみなされることがあり、決定された高電圧直流電源バスのそれぞれのペアごとに、１つの第１の直流／直流変換モジュール１２が直列に接続されて、高電圧直流電源バスのペアを電気的に接続する。
【００３０】
電源の相互バックアップとして使用される２つの高電圧直流電源バスの間に電気的に接続されている第１の直流／直流変換モジュール１２に関して、一方の高電圧直流電源バスがオフである場合（たとえば、高電圧直流電源バスに電力を供給する第１の交流／直流変換モジュール１１が障害状態である場合、および／または高電圧直流電源バスに電気的に接続されている高電圧バックアップ電源１４が障害状態である場合）には、第１の直流／直流変換モジュール１２は、他方の高電圧直流電源バスの高電圧直流に対して電圧変換を実行して、適合する高電圧直流（すなわち、オフの高電圧直流電源バス上に取り付けられている負荷によって必要とされる高電圧直流）を得る。
【００３１】
本発明のこの実施形態においては、第１の直流／直流変換モジュール１２が、２つの高電圧直流電源バスに電気的に接続され、それらの２つの高電圧直流電源バスによってそれぞれ搬送される高電圧直流の電圧は、同じであるか、または異なることもある。一般に、それぞれの高電圧直流電源バスによって搬送される電圧は、高電圧直流電源バス上に取り付けられている負荷によって必要とされる電圧に依拠し、そして、高電圧直流電源バスに電気的に接続されている第１の交流／直流変換モジュール１１の電圧が調節および制御され、それによって、第１の交流／直流変換モジュール１１は、決定された電圧を、第１の交流／直流変換モジュールに電気的に接続されている高電圧直流電源バスへ出力して、高電圧直流電源バスを使用することによって、適合する電力を、高電圧直流電源バス上に取り付けられている負荷に供給する。したがって、ほとんどのケースにおいて、異なる高電圧直流電源バスによって搬送される電圧は異なる。本発明のこの実施形態においては、１つの第１の直流／直流変換モジュール１２が、電源の相互バックアップを必要とする２つの高電圧直流電源バスの間に加えられ、第１の直流／直流変換モジュール１２は、異なる電圧の間における相互変換の機能を有し、一方の高電圧直流電源バス上の第１の指定の電圧を伴う高電圧直流を、他方の高電圧直流電源バス上の第２の指定の電圧を伴う高電圧直流に変換することがあり、他方の高電圧直流電源バス上の第２の指定の電圧を伴う高電圧直流を、一方の高電圧直流電源バス上の第１の指定の電圧を伴う高電圧直流に変換することがある。第１の直流／直流変換モジュール１２の特定の組成構成として、第１の直流／直流変換モジュール１２は、２つのサブ電圧変換モジュールを有し、一方のサブ電圧変換モジュールは、一方の高電圧直流電源バスがオフになった後に、他方の高電圧直流電源バス上の第２の指定の電圧を伴う高電圧直流を、一方の高電圧直流電源バス上の第１の指定の電圧を伴う高電圧直流に変換するように構成され、他方のサブ電圧変換モジュールは、他方の高電圧直流電源バスがオフになった後に、一方の高電圧直流電源バス上の第１の指定の電圧を伴う高電圧直流を、他方の高電圧直流電源バス上の第２の指定の電圧を伴う高電圧直流に変換するように構成されている。高電圧直流電源バスのうちの一方がオフになった後に、第１の直流／直流変換モジュール１２の２つのサブ電圧変換モジュールが使用されて電圧変換を実行して、オフの高電圧直流電源バスに連続的に電力供給して、２つの高電圧直流電源バスの間における電源の相互バックアップを実施する。
【００３２】
本発明の実装態様として、高電圧直流電源バスに電気的に接続されている第１の交流／直流変換モジュール１１に関して、第１の交流／直流変換モジュール１１が、その第１の本線端部ＩＮ１を使用することによって本線に接続しておらず、高電圧直流電源バスが、第１の直流／直流変換モジュール１２を通じて別の高電圧直流電源バスに電気的に接続されている場合には、高電圧直流電源バスは、電圧変換を実行することによって得られた高電圧直流を第１の直流／直流変換モジュール１２から取得することがあり、取得される高電圧直流は、別の高電圧直流電源バスの電流に対して電圧変換を実行することにより、第１の直流／直流変換モジュール１２によって得られる。別の高電圧直流電源バスは、１または複数の高電圧直流電源バスであることがあるが、それぞれの高電圧直流電源バスは、１つの第１の直流／直流変換モジュール１２を通じて高電圧直流電源バスに別々に電気的に接続される必要があるということに留意されたい。したがって、高電圧直流電源バスに電気的に接続されている第１の交流／直流変換モジュール１１が本線に接続していない場合には、高電圧直流電源バスは、高電圧直流電源バスに電気的に接続されている第１の直流／直流変換モジュール１２を通じて、電圧変換によって得られた高電圧直流を依然として取得して、高電圧直流電源バス上に取り付けられている負荷に電力供給することがある。
【００３３】
本発明の実装態様として、高電圧直流電源バス上の１または複数の負荷が、動作するために高電力を必要とする場合には、より多くの高電圧直流が消費される必要があるが、高電圧電源バスによって供給される電力は、この要件を満たすことができない。加えて、高電圧直流電源バスは、第１の直流／直流変換モジュール１２を通じて別の高電圧直流電源バスに電気的に接続され、別の高電圧直流電源バスの１または複数の高電圧直流電源バス上の負荷が動作しない（基本的に消費される必要のある高電圧直流がない）場合または低い電力で動作する（わずかな高電圧直流が消費される）場合には、第１の直流／直流変換モジュール１２が使用されて、別の高電圧直流電源バス（特に、基本的に高電圧直流を消費しないかまたはわずかに消費する高電圧直流電源バス）から変換された高電圧直流を取得することがあり、取得される高電圧直流は、別の高電圧直流電源バスに対して電圧変換を実行することにより、第１の直流／直流変換モジュール１２によって得られる。別の高電圧直流電源バスは、１または複数の高電圧直流電源バスであるが、それぞれの高電圧直流電源バスは、１つの第１の直流／直流変換モジュール１２を通じて高電圧直流電源バスに別々に電気的に接続される必要があるということに留意されたい。
【００３４】
本発明の実装態様として、図３は、本発明の実施形態による電源バス回路の改良された組成構成を示している。説明の容易のために、本発明のこの実施形態に関連した部分のみが示されている。
【００３５】
図２において提供された電源バス回路に基づく改良として、図３を参照すると、高電圧電源回路は、少なくとも１つの第１の制御モジュール１５をさらに含み、それぞれの第１の制御モジュール１１は、それに対応して１つの第１の直流／直流変換モジュール１２に接続されている。
【００３６】
説明の容易のために、この実装態様に関して次の定義が行われる。すなわち、第１の直流／直流変換モジュール１２に接続されている２つの高電圧直流電源バスは、第１の高電圧直流電源バスおよび第２の高電圧直流電源バスに分類される。
【００３７】
第１の制御モジュール１１は、第１の高電圧直流電源バスの電圧が第１の電圧しきい値よりも低いということを検知した場合には、第２の高電圧直流電源バス上の高電圧直流を変換して第１の高電圧直流電源バスへ転送するために第１の直流／直流変換モジュール１２を制御する。
【００３８】
この実装態様においては、それぞれの高電圧直流電源バスによって転送される高電圧直流は、電圧において異なることが可能であり、したがって、この実装態様においては、対応する電圧しきい値が、それぞれの高電圧直流電源バスごとにそれぞれ決定される。たとえば、第１の高電圧直流電源バスに関して決定される対応する電圧しきい値が、第１の電圧しきい値であり、高電圧直流電源バス上で転送される高電圧直流の電圧が、対応する電圧しきい値よりも低い場合には、それは、高電圧直流電源バス上の電気エネルギーが不十分であるということを示している。このケースにおいては、この実装態様における第１の制御モジュール１１は、第１の直流／直流変換モジュール１２上の電圧変換の方向を制御して、第１の直流／直流変換モジュール１２を制御し、第２の高電圧直流電源バス上の高電圧直流に対して電圧変換を実行し、電圧変換された高電圧直流を第１の高電圧直流電源バスへ出力して、第１の高電圧直流電源バス上の電気エネルギーを補い、それによって、第１の高電圧直流電源バス上の電圧は回復されて、第１の電圧しきい値よりも高くなる。
【００３９】
同様に、第２の高電圧直流電源バスによって転送される高電圧直流の電圧が、対応する電圧しきい値よりも低い場合には、第１の制御モジュール１１は、第１の直流／直流変換モジュール１２における電圧変換の方向を制御して、第１の高電圧直流電源バス上の高電圧直流に対して電圧変換を実行し、電圧変換された高電圧直流を第２の高電圧直流電源バスへ出力して、第２の高電圧直流電源バス上の電気エネルギーを補い、それによって、第２の高電圧直流電源バス上の電圧は回復されて、対応する電圧しきい値よりも高くなる。
【００４０】
図４は、本発明の実施形態による電源バス回路の改良された組成構成を示している。説明の容易のために、本発明のこの実施形態に関連した部分のみが示されている。
【００４１】
図２において提供された電源バス回路に基づく改良として、本発明の好ましい実施形態として、図４を参照すると、高電圧電源回路によって含まれている複数の第１の直流／直流変換モジュール１２は、同じタイプの第１の変換モジュールであり、高電圧電源回路は、少なくとも１つのバスブリッジモジュール１３をさらに含み、１つのバスブリッジモジュール１３が、２つの高電圧直流電源バスの間に電気的に接続され、それらの２つの高電圧直流電源バスは、それに対応して２つの第１の変換モジュールに接続されている。バスブリッジモジュール１３は、閉じる命令が検知されたときに、バスブリッジモジュールに電気的に接続されている２つの高電圧直流電源バスを短絡させ、開く命令が検知されたときに、バスブリッジモジュールに電気的に接続されている２つの高電圧直流電源バスの間における短絡回路を開路する。
【００４２】
この好ましい実施形態においては、電源の相互バックアップとして使用される複数の高電圧直流電源バス上に別々に取り付けられている負荷に関して、それらの別々に取り付けられている負荷によって必要とされる電圧が同じである（すなわち、電源の相互バックアップとして使用される高電圧直流電源バスによって搬送される高電圧直流の電圧が同じであり、すなわち、それに対応して高電圧直流電源バスに接続されている複数の第１の直流／直流変換モジュール１２が同じタイプのものであり、同じタイプの複数の第１の直流／直流変換モジュール１２によって出力される高電圧直流の電圧が同じである）場合には、１つのバスブリッジモジュール１３が、電源の相互バックアップとして使用されるすべての２つの高電圧直流電源バス（それらは、同じ電圧の高電圧直流を搬送する）の間に加えられることがある。
【００４３】
この好ましい実施形態の特定の実装態様においては、バスブリッジモジュール１３は、機械的なスイッチ、電気的に制御されるスイッチ、電子的なスイッチ、または別のスイッチである。この実装態様においては、機械的なスイッチが、手動で制御されて、その機械的なスイッチに電気的に接続されている２つの高電圧直流電源バスの間における短絡回路を開路または閉路することある。この実装態様においては、バスブリッジモジュール１３が、電気的に制御されるスイッチ、電子的なスイッチ、または別の制御可能なスイッチである場合には、バスブリッジモジュール１３は、閉じる命令が検知されたときに、バスブリッジモジュール１３に電気的に接続されている２つの高電圧直流電源バスを短絡させ、かつバスブリッジモジュール１３は、開く命令が検知されたときに、バスブリッジモジュール１３に電気的に接続されている２つの高電圧直流電源バスの間における短絡回路を開路する。
【００４４】
この好ましい実施形態の特定の実装態様においては、バスブリッジモジュール１３は、２つの高電圧直流電源バスを、閉じるようにまたは開くように制御することができる回路である。この実装態様においては、バスブリッジモジュール１３は、閉じる命令が検知されたときに、バスブリッジモジュール１３に電気的に接続されている２つの高電圧直流電源バスを短絡させ、かつバスブリッジモジュール１３は、開く命令が検知されたときに、バスブリッジモジュール１３に電気的に接続されている２つの高電圧直流電源バスの間における短絡回路を開路する。
【００４５】
この好ましい実施形態においては、閉じる命令または開く命令をトリガする態様は、第１に、手動でトリガすること、たとえば、バスブリッジモジュール１３によって提供された制御ボタンスイッチが手動で操作されて、閉じる命令または開く命令をトリガすること、および第２に、電子回路またはソフトウェアが、閉じる命令または開く命令を生成し、その生成された閉じる命令または開く命令をバスブリッジモジュール１３へ送信し、バスブリッジモジュール１３は、閉じる命令が受け取られたときに、バスブリッジモジュール１３に電気的に接続されている２つの高電圧直流電源バスを短絡させ、かつバスブリッジモジュール１３は、開く命令が受け取られたときに、バスブリッジモジュール１３に電気的に接続されている２つの高電圧直流電源バスの間における短絡回路を開路することを含むが、それらに限定されない。
【００４６】
第１の直流／直流変換モジュール１２、バスブリッジモジュール１３、または、第１の直流／直流変換モジュール１２およびバスブリッジモジュール１３の両方が、電源の相互バックアップとして使用されて同じ電圧を搬送する高電圧直流電源バス間に加えられることがあるということに留意されたい。第１の直流／直流変換モジュール１２および／またはバスブリッジモジュール１３が、電源の相互バックアップとして使用されて同じ電圧を搬送する高電圧直流電源バス間に加えられる限り、それに対応して、電圧変換および／または短絡が高電圧直流電源バス間において実行されることがある。しかしながら、同じ電圧を搬送する高電圧直流電源バス間における電源の相互バックアップに関しては、第１の直流／直流変換モジュール１２が、同じ電圧を搬送する高電圧直流電源バス間に電気的に接続されることと比較すると、第１の直流／直流変換モジュール１２は、電圧変換を実行するのにいくらかの時間を必要とし、電圧変換においてはエネルギーロスが存在するので、バスブリッジモジュール１３が、同じ電圧を搬送する高電圧直流電源バス間に電気的に接続され、バスブリッジモジュール１３は、同じ電圧を搬送する２つの高電圧直流電源バスをほとんど遅延またはロスなく直接短絡させることができ、それによって、同じ電圧を搬送する２つの高電圧直流電源バスの間における電源の相互バックアップをより効率よく実施するということに留意されたい。
【００４７】
図５は、本発明の実施形態による電源バス回路の別の改良された組成構成を示している。説明の容易のために、本発明のこの実施形態に関連した部分のみが示されている。
【００４８】
本発明の好ましい一実施形態として、図５を参照すると、高電圧電源回路は、少なくとも１つの高電圧バックアップ電源１４をさらに含み、１つの高電圧直流電源バスが、１または複数の高電圧バックアップ電源１４に電気的に接続されている。
【００４９】
この好ましい実施形態においては、高電圧直流電源バスが異常にオフになることをさらに防止するために、１または複数の高電圧バックアップ電源１４が、高電圧直流電源バスに直接電気的に接続されることがある。加えて、高電圧直流電源バスに関する電源の相互バックアップとして使用される１または複数の高電圧直流電源バスがある場合、すなわち、高電圧直流電源バスが、１または複数の第１の直流／直流変換モジュール１２を通じて１または複数の高電圧直流電源バスに別々に電気的に接続されている場合には、１または複数の高電圧バックアップ電源１４が、電源の相互バックアップとして使用される１または複数の高電圧直流電源バスに電気的に接続されることもあり、高電圧バックアップ電源１４は、電源の相互バックアップとして使用される高電圧直流電源バスに関するバックアップ電源として使用される一方で、第１の直流／直流変換モジュール１２を使用することによって高電圧直流電源バスに関するバックアップ電源として使用されることもある。もちろん、高電圧バックアップ電源１４が、それぞれの高電圧直流電源バスに電気的に接続されることもある。
【００５０】
この好ましい実施形態においては、第１の直流／直流変換モジュール１２に電気的に接続されている複数の高電圧直流電源バスのうちで、１または複数の高電圧直流電源バスに高電圧バックアップ電源１４が選択的に加えられることがあり、それによって、加えられた高電圧バックアップ電源１４を使用することにより、第１の直流／直流変換モジュール１２に電気的に接続されている複数の高電圧直流電源バスに関して、電源バックアップが実施されることがある。本線がオフである場合には、それによって、高電圧直流電源バスがオフになり、高電圧バックアップ電源１４が使用されて、第１の直流／直流変換モジュール１２に電気的に接続されている複数の高電圧直流電源バスに電力供給し、それによって、高電圧直流電源バス上の負荷が間断なく電力供給されて、それらの負荷の適切な動作を確実にすることができる。
【００５１】
本発明の好ましい実装態様として、高電圧バックアップ電源１４は、１または複数の充電式電源を含む。それに対応して、１つの高電圧直流電源バスが、１または複数の充電式電源に電気的に接続され、充電式電源は、充電式電源に接続されている高電圧直流電源バスを通じて充電されるかまたは放電する。この好ましい実装態様においては、１または複数の充電式電源が、１または複数の高電圧直流電源バスに別々に加えられることがある。
【００５２】
この好ましい実装態様においては、充電式電源は、蓄電池など、高い電流を放電する能力を有する充電式バッテリであることがある。
【００５３】
さらに、高電圧直流電源バスに電気的に接続されている充電式電源に関して、高電圧直流電源バスに電気的に接続されている第１の交流／直流変換モジュール１１が高電圧直流を高電圧直流電源バスへ連続的に出力している場合には、充電式電源は、高電圧直流電源バスが負荷を駆動して動作させている間に高電圧直流電源バスを通じて充電されることがある。高電圧直流電源バスが異常にオフになった場合には、充電式電源は、高電圧直流電源バスを通じて負荷に放電して、負荷を間断なく駆動して動作させるという効果を達成することがある。加えて、第１の直流／直流変換モジュール１２を通じて高電圧直流電源バスに電気的に接続されている１または複数の高電圧直流電源バスも異常にオフになった場合には、高電圧直流電源バスを通じて負荷に放電しているときに、充電式電源はまた、第１の直流／直流変換モジュール１２を通じて電気的に接続されていて異常にオフになっている１または複数の高電圧直流電源バスにも電力供給して、異常にオフになっている１または複数の高電圧直流電源バス上の負荷を駆動して動作させ、それによって、負荷を間断なく駆動して動作させるという効果を達成する。
【００５４】
本発明の好ましい実装態様として、高電圧バックアップ電源１４は、１または複数の新エネルギー電源を含み、１つの高電圧直流電源バスが、１または複数の新エネルギー電源に電気的に接続され、新エネルギー電源は、新エネルギー電源に接続されている高電圧直流電源バスを通じて放電する。
【００５５】
この好ましい実装態様においては、１または複数の新エネルギー電源は、１または複数の高電圧直流電源バスに別々に加えられることがある。好ましくは、新エネルギー電源は、太陽エネルギー電源、風力エネルギー電源、地熱エネルギー電源、海洋エネルギー電源、生物エネルギー電源、および核融合反応エネルギー電源など、再生可能エネルギー資源によって生み出される電源を含むが、それらには限定されない。
【００５６】
この好ましい実装態様においては、高電圧直流電源バスに電気的に接続されている１または複数の新エネルギー電源に関して、高電圧直流電源バスが異常にオフになった場合には、１または複数の新エネルギー電源は、高電圧直流を高電圧直流電源バスへ出力して、高電圧直流電源バスを通じて負荷に放電して、負荷を間断なく駆動して動作させるという効果を達成する。加えて、第１の直流／直流変換モジュール１２を通じて高電圧直流電源バスに電気的に接続されている１または複数の高電圧直流電源バスも異常にオフになった場合には、高電圧直流電源バスを通じて負荷に放電しているときに、１または複数の新エネルギー電源は、第１の直流／直流変換モジュール１２を通じて電気的に接続されていて異常にオフになっている１または複数の高電圧直流電源バスにも電力供給して、異常にオフになっている１または複数の高電圧直流電源バス上の負荷を駆動して動作させ、それによって、負荷を間断なく駆動して動作させるという効果を達成する。
【００５７】
図６は、本発明の実施形態による電源バス回路の別の改良された組成構成を示している。説明の容易のために、本発明のこの実施形態に関連した部分のみが示されている。
【００５８】
図５において提供された電源バス回路に基づく改良として、本発明の好ましい実装態様として、図６を参照すると、第１の交流／直流変換モジュール１１は、電力グリッドフィードバックモジュール１１１を含む。
【００５９】
第１の交流／直流変換モジュール１１によって含まれている電力グリッドフィードバックモジュール１１１は、高電圧バックアップ電源１４が放電した場合には、第１の交流／直流変換モジュール１１に接続されている高電圧直流電源バスから高電圧直流を受け取り、受け取られた高電圧直流を交流に反転させ、第１の交流／直流変換モジュール１１の第１の本線端部ＩＮ１を通じて交流を出力する。したがって、第１の交流／直流変換モジュール１１の第１の本線端部ＩＮ１によって出力された交流は、本線として転送される。
【００６０】
この好ましい実装態様においては、高電圧バックアップ電源１４は、高い電流を放電することができる電源である。通常のケースにおいて、高電圧バックアップ電源１４が充電式電源を含む場合には、高電圧バックアップ電源１４上の充電式電源は、高電圧直流電源バスを通じて充電されて、電気エネルギーを蓄えることがある。しかしながら、第１の交流／直流変換モジュール１１によって接続されている本線の電流がきわめて低い場合には、充電式電源は逆に、本線の電源電流を増大させ、本線の高電流耐久能力を改善するように、高電圧直流電源バスを通じて高い電流を本線に放電する。
【００６１】
加えて、高電圧バックアップ電源１４が新エネルギー電源を含む場合には、新エネルギー電源が強い高電流能力を有している期間に、新エネルギー電源は逆に、高電圧直流電源バスを通じて高い電流を本線に放電して、本線の電力能力を改善する。本線は一般に、再生不能資源（石炭など）によって電力供給されるので、新エネルギー電源は、再生不能資源の消費を減らすこと、および再生不能資源を購入するための発電コストを減らすことができる。新エネルギー電源は、再生可能資源を使用することによって電力供給され、再生可能資源を使用して発電する過程および発電残渣は健全で衛生的であるので、新エネルギー電源を使用することによって高電圧直流電源バス上の負荷に電力供給し、電力グリッドフィードバックモジュール１１１を使用することによって本線に反転させることが第１の選択肢であり、それは、人間の持続する健全な発展にとって有益である。
【００６２】
図７は、本発明の実施形態による電源バス回路の別の改良された組成構成を示している。説明の容易のために、本発明のこの実施形態に関連した部分のみが示されている。
【００６３】
本発明の好ましい実施形態として、図７を参照すると、電源バス回路は、１または複数の無停電電源ＵＰＳ電源回路をさらに含み、ＵＰＳ電源回路は、第２の交流／直流変換モジュール２１、ＵＰＳ直流バス、および直流／交流変換モジュール２２を含み、ＵＰＳ直流バスは、第２の交流／直流変換モジュール２１と直流／交流変換モジュール２２との間に電気的に接続され、第２の交流／直流変換モジュール２１は、第２の本線端部ＩＮ２を有し、第２の交流／直流変換モジュール２１は、第２の本線端部ＩＮ２を使用することによって本線に接続しており、接続されている本線を直流に調節し、その直流を、第２の交流／直流変換モジュールに電気的に接続されているＵＰＳ直流バスへ出力する。
【００６４】
この好ましい実施形態においては、比較的成熟した電源技術として、ＵＰＳ電源技術は、第２の交流／直流変換モジュール２１および直流／交流変換モジュール２２を含み、第２の交流／直流変換モジュール２１を使用することによって本線が直流に変換され、次いでその直流は、交流負荷によって必要とされる交流に直流／交流変換モジュール２２によって変換される。交流を直流に変換するための（第２の交流／直流変換モジュール２１によって実施される）および直流を交流に変換するための（直流／交流変換モジュール２２によって実施される）変換回路の２つのステップを使用する変換過程においては、本線によって搬送される調和波の影響が除去されることが可能であり、それによって、交流負荷によって必要とされる交流が変換によって得られることが可能であるということに留意されたい。
【００６５】
電源バス回路は、１または複数の第２の直流／直流変換モジュール２４をさらに含み、１つの第２の直流／直流変換モジュール２４が、１つの高電圧直流電源バスとＵＰＳ直流バスとの間に電気的に接続され、第２の直流／直流変換モジュール２４は、第２の直流／直流変換モジュールに接続されている高電圧直流電源バスと、第２の直流／直流変換モジュールに接続されているＵＰＳ直流バスとの間において電圧変換を実行するということが強調されるべきである。
【００６６】
この好ましい実施形態においては、従来技術によって提供される複数のＵＰＳ電源回路の間における交流、特にそれぞれのＵＰＳ電源回路によって提供される交流が、異なる交流負荷に関して決定され、したがって、従来技術における複数のＵＰＳ電源回路の間においては電源の相互バックアップが実施されることはできない。しかしながら、この好ましい実施形態においては、前述のケースに関して、第２の直流／直流変換モジュール２４は、高電圧直流電源バスおよびＵＰＳ直流バスを電気的に接続するために使用され、第２の直流／直流変換モジュール２４は、高電圧直流電源バスに対して電圧変換を実行して直流を得て、ＵＰＳ直流バスを通じて、電圧変換された直流を転送することができ、第２の直流／直流変換モジュール２４は、ＵＰＳ直流バスによって転送された直流に対して電圧変換をさらに実行して高電圧直流を得て、高電圧直流電源バスを通じて、電圧変換された高電圧直流を転送することができる。したがって、第２の直流／直流変換モジュール２４によって電気的に接続されている高電圧直流電源バスとＵＰＳ直流バスとの間において電源の相互バックアップが実施されることがある。１つの第２の直流／直流変換モジュール２４が、１つの高電圧直流電源バスと、１つのＵＰＳ直流バスとの間における電気接続を確立するために使用されることが可能であり、複数のＵＰＳ直流バスが、１つの高電圧直流電源バスに関する電源の相互バックアップとして使用されることが予想される場合には、１つの第２の直流／直流変換モジュール２４が、高電圧直流電源バスと、それぞれのＵＰＳ直流バスとの間における電気接続を別々に確立するために使用されることがあるということに留意されたい。この方法では、それぞれのＵＰＳ電源回路が１つのＵＰＳ直流バスを有する場合には、複数のＵＰＳ電源回路と、１つの高電圧直流電源バスとの間における電源の相互バックアップが実施されることがある。もちろん、それぞれのＵＰＳ電源回路がＵＰＳ直流バスを有し、それぞれのＵＰＳ直流バスが、異なる高電圧直流電源バスに関する電源の相互バックアップとして別々に使用されることが予想される場合には、それぞれのＵＰＳ直流バスは、それに対応して１つの第２の直流／直流変換モジュール２４を通じて別々に１つの高電圧直流電源バスに接続されることがある。
【００６７】
さらに、ＵＰＳ電源回路内の直流／交流変換モジュール２２に関して、直流／交流変換モジュール２２は、直流／交流変換モジュール２２に電気的に接続されているＵＰＳ直流バスから直流を受け取り、受け取られた直流を交流に変換して、変換によって得られた交流を使用することによって交流負荷に電力供給する。直流／交流変換モジュール２２に電気的に接続されているＵＰＳ直流バスから直流／交流変換モジュール２２によって受け取られる直流は、２つのソースからのものであり、第１のソースは、本線を調節することによって第２の交流／直流変換モジュール２１によって得られる直流であり、第２のソースは、第２の交流／直流変換モジュール２１が直流を出力しなかった場合または必要とされる電流より低い直流を出力した場合に高電圧直流電源バス上の高電圧直流に対して電圧変換を実行することによって第２の直流／直流変換モジュール２４によって得られる直流であるということに留意されたい。
【００６８】
図８は、本発明の実施形態による電源バス回路の別の改良された組成構成を示している。説明の容易のために、本発明のこの実施形態に関連した部分のみが示されている。
【００６９】
図７において提供されている電源バス回路に基づく改良として、本発明の好ましい実装態様として、図８を参照すると、高電圧電源回路は、少なくとも１つの第２の制御モジュール２５をさらに含み、それぞれの第２の制御モジュール２５は、それに対応して１つの第２の直流／直流変換モジュール２４に接続されている。
【００７０】
それぞれの第２の直流／直流変換モジュール２４の電圧変換の方向は、第２の直流／直流変換モジュール２４に接続されている第２の制御モジュール２５によって別々に制御される。
【００７１】
第２の制御モジュール２５は、高電圧直流電源バスの電圧が第２の電圧しきい値よりも低いということを検知した場合には、ＵＰＳ直流バス上の直流を変換して高電圧直流電源バスへ転送するように第２の直流／直流変換モジュール２４を制御する。
【００７２】
特に、それぞれの高電圧直流電源バスによって転送される高電圧直流は、電圧において異なることがあるので、この実装態様においては、対応する第２の電圧しきい値が、それぞれの高電圧直流電源バスごとに別々に決定される。
【００７３】
第２の直流／直流変換モジュール２４に接続されている高電圧直流電源バス上で転送される高電圧直流の電圧が、対応する第２の電圧しきい値よりも低い場合には、それは、高電圧直流電源バス上の電気エネルギーが不十分であることを示してあり、この場合、この実装態様における第２の制御モジュール２５は、第２の直流／直流変換モジュール２４上の電圧変換の方向を制御して、ＵＰＳ直流バス上の直流に対して電圧変換を実行し、電圧変換された高電圧直流を高電圧直流電源バスへ出力して、高電圧直流電源バス上の電気エネルギーを補い、それによって、高電圧直流電源バス上の電圧は回復されて、第２の電圧しきい値よりも高くなる。
【００７４】
第２の制御モジュール２５は、ＵＰＳ直流バスの電圧が第３の電圧しきい値よりも低いということを検知した場合には、高電圧直流電源バス上の高電圧直流を変換してＵＰＳ直流バスへ転送するように第２の直流／直流変換モジュール２４を制御する。
【００７５】
特に、第２の直流／直流変換モジュール２４に接続されているＵＰＳ直流バス上で転送される直流の電圧が、対応する第３の電圧しきい値よりも低い場合には、それは、ＵＰＳ直流バス上の電気エネルギーが不十分であるということを示してあり、このケースにおいては、この実装態様における第２の制御モジュール２５は、第２の直流／直流変換モジュール２４上の電圧変換の方向を制御して、高電圧直流電源バス上の直流に対して電圧変換を実行し、電圧変換された直流をＵＰＳ直流バスへ出力して、ＵＰＳ直流バス上の電気エネルギーを補い、それによって、ＵＰＳ直流バス上の電圧は回復されて、第３の電圧しきい値よりも高くなる。
【００７６】
図９は、本発明の実施形態による電源バス回路の別の改良された組成構成を示している。説明の容易のために、本発明のこの実施形態に関連した部分のみが示されている。
【００７７】
図７において提供された電源バス回路に基づく改良として、本発明の好ましい実装態様として、図９を参照すると、ＵＰＳ電源回路は、少なくとも１つのＵＰＳバックアップ電源２３をさらに含み、１つのＵＰＳ直流バスが、１または複数のＵＰＳバックアップ電源２３に電気的に接続され、ＵＰＳバックアップ電源２３は、ＵＰＳバックアップ電源に接続されている直流バスを通じて充電されるかまたは放電する。
【００７８】
この好ましい実装態様においては、ＵＰＳバックアップ電源２３は、充電式電源である。ＵＰＳ電源回路内の第２の交流／直流変換モジュール２１が本線を直流に適切に変換する過程においては、第２の交流／直流変換モジュール２１は、ＵＰＳ直流バスを使用することによって同じＵＰＳ電源回路内の直流／交流変換モジュール２２へ直流を連続的に出力し、ＵＰＳ直流バスを使用することによって同じＵＰＳ電源回路内の直流／交流変換モジュール２２へ直流が出力されている間に、ＵＰＳ直流バスも、ＵＰＳバックアップ電源２３を充電するために使用される。
【００７９】
さらに、ＵＰＳ直流バス上の電流が比較的低い場合、または第２の交流／直流変換モジュール２１が本線に接続していない（すなわち、第２の交流／直流変換モジュール２１が電流をＵＰＳ直流バスへ出力しない）場合には、ＵＰＳバックアップ電源２３は、直流をＵＰＳ直流バスへ出力する。同時に、ＵＰＳ直流バスが第２の直流／直流変換モジュール２４を通じて高電圧直流電源バスにさらに電気的に接続されている場合には、第２の直流／直流変換モジュール２４が使用されて、高電圧直流電源バス上の高電圧直流を直流に変換し、変換によって得られた直流をＵＰＳ直流バスへ出力することがある。高電圧直流電源バス上の高電圧直流は、高電圧直流電源バス上の高電圧バックアップ電源１４によって提供されることがあり、高電圧直流電源バス上の高電圧直流は、本線を変換することによって第１の交流／直流変換モジュール１１によって得られることもあるということに留意されたい。
【００８０】
加えて、ＵＰＳ直流バスに電気的に接続されている第２の交流／直流変換モジュール２１が本線に接続していない場合には、ＵＰＳ直流バスは異常にオフになり、その一方で、第２の直流／直流変換モジュール２４を通じてＵＰＳ直流バスに電気的に接続されている高電圧直流電源バスに関しては、高電圧直流電源バスに電気的に接続されている第１の交流／直流変換モジュール１１も本線に接続していない場合には、高電圧直流電源バスは異常にオフになり、したがって、ＵＰＳ直流バスに電気的に接続されているＵＰＳバックアップ電源２３が使用されて、ＵＰＳ直流バスに電力供給し、さらに、第２の直流／直流変換モジュール２４を使用することによってＵＰＳ直流バス上の直流が高電圧直流に変換され、高電圧直流は、第２の直流／直流変換モジュール２４に電気的に接続されている高電圧直流電源バスへ出力され、それによって高電圧直流電源バス上の負荷に電力供給する。
【００８１】
本発明の実装態様においては、第５の直流／直流変換モジュールが、高電圧バックアップ電源１４によって含まれている充電式電源と、ＵＰＳ直流バスとの間に直列に接続されている。したがって、高電圧バックアップ電源１４と第５の直流／直流変換モジュールとの組合せを使用することによって、ＵＰＳバックアップ電源２３の機能が実施される。より好ましくは、第５の交流／直流変換モジュールが電源バス回路に加えられることもあり、第５の交流／直流変換モジュールは、第２の交流／直流変換モジュール２１の第２の本線端部ＩＮ２に電気的に接続され、第５の交流／直流変換モジュールは、第２の本線端部ＩＮ２を使用することによって本線に接続しており、接続されている本線を、高電圧バックアップ電源１４を充電するのに適している高電圧直流に変換し、変換によって得られた高電圧直流を使用することによって高電圧バックアップ電源１４を充電する。
【００８２】
図１０は、本発明の実施形態による電源バス回路の別の改良された組成構成を示している。説明の容易のために、本発明のこの実施形態に関連した部分のみが示されている。
【００８３】
本発明の好ましい一実施形態として、図１０を参照すると、電源バス回路は、１または複数の交流電源回路をさらに含み、交流電源回路は、交流／交流変換モジュール３１および交流バスを含み、交流／交流変換モジュール３１は、交流バスに電気的に接続されている。
【００８４】
この好ましい実施形態においては、電源バス回路の適用範囲を広げるために、交流電源回路が電源バス回路に加えられ、交流電源回路は交流バスを有し、交流バス上には１または複数の交流負荷が取り付けられ、交流負荷は、交流によって駆動される負荷である。同じ交流バス上に取り付けられている複数の交流負荷に関して、交流負荷は、同じ交流を使用して動作する負荷であるべきであり、またはアダプタが交流負荷上に配置され、アダプタは、交流バスの交流を、交流負荷によって必要とされる交流に調節し、またはアダプタは、交流バスの交流を、負荷によって必要とされる直流に調節するということに留意されたい。
【００８５】
この好ましい実施形態においては、交流／交流変換モジュール３１は、第３の本線端部ＩＮ３を有し、交流／交流変換モジュール３１は、第３の本線端部ＩＮ３を使用することによって本線に接続しており、接続されている本線を指定のタイプの交流に調節し、指定のタイプの交流を、交流／交流変換モジュールに電気的に接続されている交流バスへ出力する。指定のタイプは、次の状況のうちの任意の１つまたは組合せを含むが、それらに関する限定には限られず、それらの状況は、周波数、ピーク値（または振幅）、波形などを含むということに留意されたい。
【００８６】
この好ましい実施形態においては、交流バスによって搬送される交流タイプは、交流バス上に取り付けられている交流負荷によって必要とされるタイプに依拠し、交流バス上に取り付けられている交流負荷によって必要とされるタイプに従って指定のタイプが決定された後に、指定のタイプは、交流／交流変換モジュール３１上に設定され、交流／交流変換モジュール３１は、本線を指定のタイプの交流に変換する。
【００８７】
電源バス回路は、１または複数の第３の交流／直流変換モジュール３２をさらに含み、１つの第３の交流／直流変換モジュール３２が、１つの高電圧直流電源バスと、１つの交流バスとの間に電気的に接続されているということが強調されるべきである。この好ましい実施形態においては、電源バス回路は、１または複数の交流電源回路をさらに含み、電源の相互バックアップを必要とする１または複数の交流電源回路に関して、それぞれの交流電源回路の交流バスが、１つの第３の交流／直流変換モジュール３２を通じて高電圧直流電源バスに別々に電気的に接続されている。電源バックアップの実装態様として、異なる交流電源回路内の交流バスは、１つの第３の交流／直流変換モジュール３２を通じて１つの高電圧直流電源バスに別々に電気的に接続されることがある。電源バックアップの実装態様として、異なる交流電源回路内の交流バスは、１つの第３の交流／直流変換モジュール３２を通じて異なる対応する高電圧直流電源バスに別々に電気的に接続されることがある。
【００８８】
この好ましい実施形態においては、第３の交流／直流変換モジュール３２は、第３の交流／直流変換モジュールに接続されている高電圧直流電源バスによって搬送される高電圧直流を指定のタイプの交流に変換し、変換によって得られた交流を、第３の交流／直流変換モジュールに接続されている交流バスへ出力するか、または第３の交流／直流変換モジュールに接続されている交流バスによって搬送される交流を高電圧直流に変換し、変換によって得られた高電圧直流を、第３の交流／直流変換モジュールに接続されている高電圧直流電源バスへ出力する。
【００８９】
特に、交流／交流変換モジュール３１が本線に接続しておらず、それによって、交流／交流変換モジュール３１に電気的に接続されている交流バスが異常にオフになり得る原因となる場合には、交流バスに電気的に接続されている第３の交流／直流変換モジュール３２は、第３の交流／直流変換モジュール３２に接続されている高電圧直流電源バスによって搬送される高電圧直流を指定のタイプの交流に変換し、変換によって得られた交流を交流バスへ出力して、交流バスが間断なく電力を供給することを確実にして、交流バスが実際に異常にオフになることを防止する。
【００９０】
逆に、交流／交流変換モジュール３１が電源に適切に接続している場合には、交流／交流変換モジュール３１は、本線を変換することによって得られた指定のタイプの交流を、交流／交流変換モジュール３１に電気的に接続されている交流バスへ連続的に出力し、高電圧直流電源バス（高電圧直流電源バスは、第３の交流／直流変換モジュール３２を通じて交流バスに電気的に接続されている）が異常にオフになると、第３の交流／直流変換モジュール３２が使用されて、交流バスによって搬送される交流を高電圧直流に変換することができ、変換を用いて得られた高電圧直流は、高電圧直流電源バスへ出力され、その上、電源の相互バックアップのための別のバス（電源の相互バックアップのための別の高電圧直流電源バス、および電源の相互バックアップとしてのＵＰＳ直流バスを含む）として、高電圧直流電源バスは、第１の直流／直流変換モジュール１２または第２の直流／直流変換モジュール２４を通じて高電圧直流を高電圧直流電源バスへ出力して、高電圧直流電源バス上の負荷が間断なく電力供給されることを確実にすることもできる。
【００９１】
図２、図４、図５、図６、図７、図９、または図１０において提供された電源バス回路に基づく改良として、本発明の好ましい実施形態として、電源バス回路は、調節および制御モジュールをさらに含み、調節および制御モジュールは、第１の交流／直流変換モジュール１１に接続されている。調節および制御モジュールが第１の交流／直流変換モジュール１１に接続される態様は、有線接続態様またはワイヤレス接続態様（たとえば、接続は、ワイヤレスローカルエリアネットワークを使用することによって確立される）であることがあるということに留意されたい。調節および制御モジュールは、電圧調節命令を第１の交流／直流変換モジュール１１へ出力する。
【００９２】
第１の交流／直流変換モジュール１１は、接続されている本線を高電圧直流に調節する過程において、高電圧直流を、電圧調節命令によって指定されたプリセット電圧に調節し、プリセット電圧を有する高電圧直流を、第１の交流／直流変換モジュールに電気的に接続されている高電圧直流電源バスへ出力する。
【００９３】
この好ましい実施形態においては、プリセット電圧は、高電圧直流電源バス上に取り付けられている負荷によって必要とされる電圧に従って決定される。次いで、調節および制御モジュールは、高電圧直流電源バスに電気的に接続されている第１の交流／直流変換モジュール１１に電圧調節命令を送信し、電圧調節命令は、プリセット電圧を含む。さらに、第１の交流／直流変換モジュール１１は、本線を調節する過程において、本線を、プリセット電圧を有する高電圧直流に調節し、したがって第１の交流／直流変換モジュール１１は、プリセット電圧を有する高電圧直流を高電圧直流電源バスへ出力し、それによって、高電圧直流電源バスを通じて、適合する電力を高電圧直流電源バス上の負荷に供給する。
【００９４】
本発明の好ましい実施形態として、調節および制御モジュールは、ＵＰＳ電源回路によって含まれている第２の交流／直流変換モジュール２１に電気的に接続されている。
【００９５】
指定の電圧は、ＵＰＳ直流バスが転送する必要がある直流に関してあらかじめ決定される。次いで、調節および制御モジュールは、ＵＰＳ直流バスに電気的に接続されている第２の交流／直流変換モジュール２１に電圧指定命令を送信し、電圧指定命令は、指定の電圧を含む。さらに、第２の交流／直流変換モジュール２１は、本線を調節する過程において、本線を、指定の電圧を有する直流に調節し、それによって、第２の交流／直流変換モジュール２１は、指定の電圧を有する直流をＵＰＳ直流バスへ出力して、ＵＰＳ直流バスによって搬送される直流の電圧が指定の電圧であるということを確実にする。
【００９６】
本発明の好ましい実施形態として、調節および制御モジュールは、交流電源回路によって含まれている交流／交流変換モジュール３１に電気的に接続されている。
【００９７】
この好ましい実施形態においては、指定のタイプは、交流バス上に取り付けられている交流負荷によって必要とされる交流のタイプに従って決定される。次いで、調節および制御モジュールは、交流バスに電気的に接続されている交流／交流変換モジュール３１にタイプ調節命令を送信し、タイプ調節命令は、指定のタイプを含む。さらに、交流／交流変換モジュール３１は、本線を調節する過程において、本線を指定のタイプの交流に調節し、それによって、交流／交流変換モジュール３１は、指定のタイプの交流を交流バスへ出力し、それによって、適合する電力を交流バス上の交流負荷に供給する。
【００９８】
前述の内容はさらに、特定の好ましい実施形態を参照しながら詳細に本発明を説明してあり、本明細書は、本発明のそれらの特定の実施形態に関する限定と解釈されるべきではない。本発明が属する当業者は、本発明の原理から逸脱することなく、いくつかの均等な代替または明らかな変形を作成することがあり、当該代替または変形の性能または機能は、本発明におけるものと同じであり、代替または変形は、本発明の特許請求の範囲によって決定される保護範囲内にある。
【図１】
0006262887.tif 000002
【図２】
0006262887.tif 000003
【図３】
0006262887.tif 000004
【図４】
0006262887.tif 000005
【図５】
0006262887.tif 000006
【図６】
0006262887.tif 000007
【図７】
0006262887.tif 000008
【図８】
0006262887.tif 000009
【図９】
0006262887.tif 000010
【図１０】
0006262887.tif 000011